(57)【要約】    【課題】  ショーケース等の店舗用機器において、販売促進のための商品広告を効果的に行う。    【解決手段】  ショーケース１の上部にプロジェクタ１０を取付けると共に、その前方にカバー１１により保持された斜め下向きの反射鏡を配置する。プロジェクタ１０は、反射鏡を介して、ショーケース１前方の床面に商品広告用の画像Ｐを映写する。【選択図】  図４
2012159597.tif 000002
【特許請求の範囲】
【請求項１】
商品を販売若しくは販売のために陳列する店舗用機器に取付けたプロジェクタと、
このプロジェクタからの投影画像を反射させて投影方向を変える反射手段と、
を含んで構成され、
前記プロジェクタは、前記反射手段を介して、店舗建物の構成面に商品広告用の画像を映写することを特徴とする、店舗用広告装置。
【請求項２】
前記プロジェクタは、前記反射手段を介して、前記機器前方の床面に商品広告用の画像を映写することを特徴とする、請求項１記載の店舗用広告装置。
【請求項３】
前記プロジェクタは前記機器の上部に前向きに配置され、前記反射手段は前記プロジェクタの前方で前記機器の上部前端より前方に反射面を斜め下向きにして配置されることを特徴とする、請求項２記載の店舗用広告装置。
【請求項４】
請求項１〜請求項３のいずれか１つに記載の店舗用広告装置を備えた店舗用機器であるショーケース。
【発明の詳細な説明】
【技術分野】
【０００１】
本発明は、商品を販売若しくは販売のために陳列する店舗用機器において商品広告を行うための店舗用広告装置に関する。
【背景技術】
【０００２】
特許文献１には、オープンショーケースの内部に陳列された商品の展示効果を促進するため、ショーケースの天壁前部に透過型のスクリーンを立設し、ショーケースの天壁後部に取付けたプロジェクタにより画像を前記スクリーンに映写するようにしたものが記載されている。
【０００３】
特許文献２には、効果的な販売促進用の情報表示のため、オープンショーケースの陳列棚の前縁部に透過型のスクリーンを配置し、ショーケース内部に設けたプロジェクタからの投影画像を平面鏡により反射させて前記スクリーンに映写するようにしたものが記載されている。
【先行技術文献】
【特許文献】
【０００４】
【特許文献１】特開２００１−２４５７５６号公報
【特許文献２】特開２００７−２８９６３６号公報
【発明の概要】
【発明が解決しようとする課題】
【０００５】
しかしながら、特許文献１に記載の従来技術では、ショーケースの上方に大型のスクリーンを取付ける必要があることから、店舗用機器の大型化を招き、店舗内への設置に制約を生じるという問題点があった。
【０００６】
また、特許文献２に記載の従来技術では、陳列棚の前縁部をスクリーンとするため、商品の陳列スペースとの関係でスクリーンの大きさが制約される一方、ショーケース内部にプロジェクタの設置スペースや投影光路を確保する必要から、商品の陳列スペースが制約されるという問題点があった。
【０００７】
本発明は、このような従来の問題点に鑑み、スクリーン設置スペースを必要とせず、また商品の陳列スペースに影響を与えない店舗用広告装置を提供することを課題とする。
【課題を解決するための手段】
【０００８】
上記の課題を解決するために、本発明に係る店舗用広告装置は、商品を販売若しくは販売のために陳列する店舗用機器に取付けたプロジェクタと、このプロジェクタからの投影画像を反射させて投影方向を変える反射手段と、を含んで構成され、前記プロジェクタは、前記反射手段を介して、店舗建物の構成面（天井面、壁面、床面など）に商品広告用の画像を映写する。
【発明の効果】
【０００９】
本発明によれば、店舗建物の構成面、すなわち、天井面、壁面、床面をスクリーンとして、広告用画像を映写するため、スクリーン設置スペースを特別に確保する必要がなくなる。また、プロジェクタの設置位置は店舗用機器の外面などでよく、商品の陳列スペースに影響を与えることはない。また、反射手段によりプロジェクタの投影方向を任意の方向に変えることができ、プロジェクタの設置位置に対する映写位置の自由度を向上させることができる。
【００１０】
そして、このように店舗建物の天井面、壁面、床面などに直接広告用画像を映写することで、設置店舗において一般客の興味を引くため、集客力が上がり、陳列商品の購入につながると予測される。
【図面の簡単な説明】
【００１１】
【図１】本発明の一実施形態を示すプロジェクタ付きショーケースの斜視図
【図２】同上ショーケースの側面断面図
【図３】同上ショーケースのプロジェクタ部分の拡大図
【図４】広告用画像の映写面を示す概略斜視図
【発明を実施するための形態】
【００１２】
以下、本発明の実施の形態について、詳細に説明する。尚、ここでは本発明の好適な一実施形態としてを本発明を適用したプロジェクタ付きショーケースについて説明するが、本発明の適用機器はショーケースに限られるものでないことは言うまでもない。
【００１３】
図１は本発明の一実施形態を示すプロジェクタ付きショーケースの斜視図、図２は側面断面図である。また、図３は同上ショーケースのプロジェクタ部分の拡大図である。
【００１４】
このショーケース１は、例えばスーパーマーケット、コンビニエンスストア、ドラッグストアなどの店舗内に据付けられる縦型のオープンショーケースであり、前面に開口部を有するショーケース本体２と、その下側で据付部を兼ねる冷凍ユニット８とから構成される。
【００１５】
ショーケース本体２は、本体上面３ａ、本体背面３ｂ及び本体底面３ｃと、これらの内側で２重壁構造をなす庫内上面４ａ、庫内背面４ｂ及び庫内底面４ｃと、これらの両側部を覆う側板５、５とより構成されている。
【００１６】
ショーケース本体２の庫内には、複数の商品棚７が位置調整可能に取付けられるようになっている。
【００１７】
そして、ショーケース本体２の庫内をコ字状に囲むように、前記本体上面３ａ、本体背面３ｂ及び本体底面３ｃと、前記庫内上面４ａ、庫内背面４ｂ及び庫内底面４ｃとの間に、通風路７が形成されている。
【００１８】
通風路７には、図示しないが、コ字状部を下側から上側へ向かう空気流を生起する送風用ファンと、このファンからの空気を冷媒との熱交換により冷却する冷却器とが設けられている。
【００１９】
そして、庫内上面４ａの前部に、前記通風路７に連通し下方に向かって開口する空気吹出し口（図示せず）が設けられる一方、庫内底面４ｃの前部に、前記通風路７に連通し上方に向かって開口する空気取入れ口（図示せず）が設けられ、これらの間に、すなわち、ショーケース本体２の開口部に、エアカーテンが形成されるようになっている。
【００２０】
冷凍ユニット８は、内部に図示しない凝縮器及び圧縮機などを収容して、これらにより冷凍回路を構成すると共に、ショーケース本体２側の冷却器と接続されている。
【００２１】
このようなオープンショーケース１において、商品棚７に陳列される商品の販売促進用の商品広告のため、ショーケース本体２の本体上面３ａ上で、比較的前側の位置に、プロジェクタ１０が前向きに、すなわち投影レンズ部１０ａを前向きにして、取付けられる。
【００２２】
このプロジェクタ１０は、図示しない背面に、各種ビデオ入力端子の他、ＵＳＢ端子を有し、このＵＳＢ端子に差込まれたＵＳＢメモリ内の画像を読込んで、映写することが可能である。
【００２３】
そして、プロジェクタ１０の投影レンズ１０ａの前方で、ショーケース本体２の本体上面３ａ前端部より前方に、反射面を斜め下向きにして、反射手段としての反射鏡１３が配置される。
【００２４】
この反射鏡１３は、カバー１１内の支持軸１２に回動可能に支持されている。
【００２５】
カバー１１は、プロジェクタ１０の投影レンズ１０ａの前方で、ショーケース本体２の本体上面３ａ前端部より前方に、配置され、上面部、前面部及び側面部を覆い、後方部及び下方部が開放されている。
【００２６】
支持軸１２は、カバー１１の内面にブラケット１１ａを介して保持され、左右方向に延びている。
【００２７】
反射鏡１３は、その裏面側にホルダ１３ａが取付けられており、ホルダ１３ａが支持軸１２に回動可能に取付けられている。すなわち、ホルダ１３ａは支持軸１２に嵌合されて外力により摩擦力に抗して回動可能であるが、任意の回動位置で摩擦力により保持されるようになっている。
【００２８】
従って、反射鏡１３は、プロジェクタ１０の投影レンズ部１０ａに相対させて斜め下向きに設けられ、プロジェクタ１０から前方への投影画像を下向き（かつやや前方）に反射させると共に、支持軸１２に対する取付角度を調整可能で、反射方向（投影方向）を調整することができる。
【００２９】
従って、プロジェクタ１０からの投影される画像は、反射鏡１３により反射されて、図４に画像Ｐとして示すように、オープンショーケース１前方の床面に映写される。このときの映写位置は、反射鏡１３の取付角度を調整することにより変更可能である。
【００３０】
本実施形態によれば、商品を販売若しくは販売のために陳列する店舗用機器であるショーケース１にプロジェクタ１０を取付け、しかも反射手段としての反射鏡１３によりプロジェクタ１０からの投影画像を反射させて投影方向を適宜の方向に変え、このプロジェクタ１０により、反射手段としての反射鏡１３を介して、店舗建物の構成面、特に店舗用機器の床面に、商品広告用の画像を映写する構成とすることより、次のような効果が得られる。
【００３１】
店舗建物の構成面である床面をスクリーンとして、広告用画像を映写するため、スクリーン設置スペースを特別に確保する必要はなくなる。但し、画像が映写される床面に白色のマットを敷いて、写りを鮮やかにするようにしてもよいことは言うまでもない。
【００３２】
また、プロジェクタ１０の設置位置はショーケース本体２の本体上面３ａ上でよく、商品の収納スペースなどに影響を与えることはない。
【００３３】
また、反射手段としての反射鏡１３によりプロジェクタ１０の投影方向を任意の方向に変えることができ、プロジェクタ１０の設置位置に対する映写位置の自由度を向上させることができる。
【００３４】
そして、このように店舗建物の床面に直接広告用画像を映写することで、設置店舗において一般客の興味を引くため、集客力が向上し、陳列商品の購入につながるものと予測される。
【００３５】
尚、プロジェクタ１０から投影する画像は、静止画であってよいし、動画であってもよく、更には音声付きであってもよい。
【００３６】
また、本実施形態によれば、プロジェクタ１０は、ショーケース１の上部に前向きに配置され、反射手段としての反射鏡１３は、プロジェクタ１０の前方で、ショーケース１の上部前端より前方に反射面を斜め下向きにして配置されることにより、床面映写を前提として、プロジェクタ１０の取付位置と画像の映写位置とを最適化でき、既存のショーケース１へのプロジェクタ１０等の後付けも容易となる。
【００３７】
尚、本発明は上記実施形態のようなショーケースに好適に適用できるものであるが、本発明を適用する店舗用機器は、上記実施形態のような縦型のオープンショーケースに限定されるものではなく、各種ショーケース、自動販売機などを含むものである。また、上記実施形態では、店舗建物の床面に商品広告用の画像を映写したが、店舗用機器近傍の天井面、壁面などに商品広告用の画像を映写するようにしてもよい。
【００３８】
また、図示の実施形態では、プロジェクタ及び反射手段をショーケースなどの店舗用機器の上面（天面）に配設しているが、これに限らず、店舗用機器の適所に取付可能であり、これらの取付位置、取付角度によって、店舗建物の構成面のいずれにも映像を投影可能である。
【００３９】
また、図示の実施形態では、反射手段として、反射鏡を用いたが、プリズム等を用いてもよい。
【００４０】
すなわち、図示の実施形態はあくまで本発明を例示するものであり、本発明は、説明した実施形態により直接的に示されるものに加え、特許請求の範囲内で当業者によりなされる各種の改良・変更を包含するものであることは言うまでもない。
【符号の説明】
【００４１】
１  ショーケース
２  ショーケース本体
３ａ  本体上面
３ｂ  本体背面
３ｃ  本体底面
４ａ  庫内上面
４ｂ  庫内背面
４ｃ  庫内底面
５  側板
６  商品棚
７  通風路
８  冷凍ユニット
１０  プロジェクタ
１１  カバー
１２  支持軸
１３  反射鏡
【図１】
2012159597.tif 000003
【図２】
2012159597.tif 000004
【図３】
2012159597.tif 000005
【図４】
2012159597.tif 000006